(57)【特許請求の範囲】
【請求項１】
走行機体に連結機構により機枠を連結し、該機枠に穿入ビームを揺振機構により進行方向に揺振動作自在に縦設し、該穿入ビームの下部に土中に暗渠を形成可能な弾丸体を配設してなり、上記穿入ビームの進行方向後方位置に該穿入ビームにより土中の上下方向に延びて形成される穿入跡溝の対向面を左右交互に拡張して地表面に開口する縦口路を左右交互に形成可能な拡張部材を配設し、該拡張部材を交互拡張動作させる交互拡張機構を設けてなることを特徴とする暗渠形成装置。
【請求項２】
上記拡張部材は回転可能な突条体を備えてなることを特徴とする請求項１記載の暗渠形成装置。
【発明の詳細な説明】
【０００１】
【発明の属する技術分野】
本発明は例えば水田や畑の土中に暗渠を形成する際に用いられる暗渠形成装置に関するものである。
【０００２】
【従来の技術】
従来この種の暗渠形成装置として、走行機体に連結機構により機枠を連結し、機枠に穿入ビームを揺振機構により進行方向に揺振動作自在に縦設し、穿入ビームの下部に土中に暗渠を形成可能な弾丸体を配設してなる構造のものが知られている。
【０００３】
しかして、水田等は表層の耕耘層、その下層の耕盤、さらに下層の芯土層からなり、この耕耘層、耕盤及び芯土層に穿入ビームを穿入進行させ、耕盤を破ってその下の芯土層に弾丸体により暗渠を開穴形成することになる。
【０００４】
【発明が解決しようとする課題】
しかしながら上記従来構造の場合、穿入ビームの穿入作業進行直後は土中の上下方向に形成される穿入跡溝は穿入ビームの厚さに応じた幅に保持されているが、時間の経過により穿入溝跡の両対向面が近接して狭まって閉塞されることになり、このため暗渠本来の排水性及び通気性を低下させることがあるという不都合を有している。
【０００５】
【課題を解決するための手段】
本発明はこのような不都合を解決することを目的とするもので、本発明のうちで、請求項１記載の発明にあっては、走行機体に連結機構により機枠を連結し、該機枠に穿入ビームを揺振機構により進行方向に揺振動作自在に縦設し、該穿入ビームの下部に土中に暗渠を形成可能な弾丸体を配設してなり、上記穿入ビームの進行方向後方位置に該穿入ビームにより土中の上下方向に延びて形成される穿入跡溝の対向面を左右交互に拡張して地表面に開口する縦口路を進行方向に左右交互に形成可能な拡張部材を配設し、該拡張部材を交互拡張動作させる交互拡張機構を設けてなることを特徴とする暗渠形成装置にある。
【０００６】
又、請求項２記載の発明にあっては、上記拡張部材は回転可能な突条体を備えてなるものである。
【０００７】
【発明の実施の形態】
図１乃至図９は本発明の実施の形態例を示すもので、１は走行機体であって、この場合トラクタが用いられ、走行機体１の後部に三点リンク式の連結機構２により機枠３を上下動可能に連結して構成している。
【０００８】
４は穿入ビーム、５は揺振機構であって、この場合、機枠３に揺動アーム６の中程部を支点軸７により揺振動作自在に枢着すると共に機枠３に主軸８を軸受８ａ・８ａにより回転自在に横設し、走行機体１の動力取出軸９と主軸８とを自在継手１０により連結し、揺動アーム６と穿入ビーム４との間に偏心輪機構１１を介装し、即ち、偏心輪機構１１として、上記主軸８の軸受８ａ・８ａに偏心軸部１１ａを形成し、偏心軸部１１ａに接続部材１１ｂの上側の軸受１１ｃを嵌合し、接続部材１１ｂの下側の軸受１１ｄに揺動アーム６の基軸６ａを嵌挿し、揺動アーム６をガイドロール６ｂ・６ｂ及びガイド片３ａ・３ａにより上下揺動案内し、主軸８の回転により偏心輪機構１１を介して揺動アーム６を支点軸７を中心として上下揺振動作させ、揺動アーム６の後端部に穿入ビーム４を上下方向に取付け、穿入ビーム４の下端部に犂体１２を取付けると共にフック状の連結材１３により砲弾状の弾丸体１４を連結して構成している。
【０００９】
しかして、走行機体１の進行に伴い穿入ビーム４は進行方向に揺振動作しつつ土中Ｗに穿入して穿入跡溝Ｓを形成すると共に犂体１２の穿入後方位置の弾丸体１４により暗渠Ｈを連続して形成することになる。
【００１０】
１５は拡張部材、１６は交互拡張機構であって、この拡張部材１５は上記穿入ビーム４の進行方向後方位置に配設され、穿入ビーム４により土中Ｗの上下方向に延びて形成される穿入跡溝Ｓの対向面を左右交互に拡張して地表面Ｍに開口する縦口路Ｔを進行方向に左右交互に形成可能に設けられ、交互拡張機構１６はこの拡張部材１５を交互拡張動作させるように構成されている。
【００１１】
この場合、上記機枠３の後部に軸受筒体１７を縦設し、軸受筒体１７に支持軸１８を回転自在に縦設し、軸受筒体１７に軸受片体１９を形成し、支持軸１８の下端部を軸受片体１９により回転自在に軸受し、支持軸１８に拡張部材１５としての羽根板状の突条体１５ａを上下に延びて突設してなり、又、交互拡張機構１６として、この場合、上記機枠３に減速機構２０を取付け、減速機構２０により支持軸１８を連続的に回転させるように構成している。
【００１２】
しかして、主軸８の回転により減速機構２０を介して支持軸１８を連続的に回転させ、この支持軸１８の回転により拡張部材１５は回動し、拡張部材１５の羽根板状の突条体１５ａは穿入跡溝Ｓの対向面を左右交互に拡幅拡張して地表面Ｍに開口する縦口路Ｔが進行方向に左右交互に形成されることになる。
【００１３】
２１は溝切円盤であって、上記穿入ビーム４の基部に取付片２１ａを垂設し、取付片２１ａに溝切円盤２１を回転自在に取り付け、穿入ビーム４の進行方向前方位置に揺振動作しつつ穿入条溝Ｆを形成するように構成している。
【００１４】
２２は転輪であって、上記機枠３の左右両側位置に取付アーム２２ａ・２２ａを高さ調節機構２２ｂにより高さ調節自在に配置し、田面等の地表面Ｍに転輪２２を接地させ、機枠３の安定走行及び暗渠Ｈの表面からの形成高さの設定を図るように構成している。
【００１５】
この実施の形態例は上記構成であるから、走行機体１の進行に伴い穿入ビーム４は進行方向に揺振動作しつつ土中Ｗに穿入して穿入跡溝Ｓを形成すると共に犂体１２の穿入後方位置の弾丸体１４により暗渠Ｈを連続して形成することになり、この際、図１０の如く、上記穿入ビーム４の進行方向後方位置に配置された拡張部材１５は交互拡張機構１６により拡張動作し、穿入ビーム４により土中Ｗの上下方向に延びて形成される穿入跡溝Ｓの対向面を左右交互に拡張して地表面Ｍに開口する縦溝状の縦口路Ｔを進行方向に左右交互に形成することができ、従って、時間の経過により穿入溝跡Ｓの両対向面が近接して狭まって閉塞されたとしても縦口路Ｔが維持され、縦口路Ｔの存在により暗渠Ｈの排水性及び通気性を良好に保持することができる。尚、縦口路Ｔの下端は適宜設定されるが、一般的に暗渠Ｈに届かない暗渠近接位置に設定されることが望ましく、何故ならば、暗渠Ｈと縦口路Ｔとが連通状態であると縦口路Ｔの内面の土が暗渠Ｈ内に流入し、暗渠Ｈを閉塞することがあるからである。
【００１６】
又、この場合、上記拡張部材１５は回転可能な突条体１５ａを備えてなるから、突条体１５ａの半径の山形凹溝状の縦口路Ｔを穿入溝跡Ｓを境にして左右に交互に容易に形成することができる。
【００１７】
尚、本発明は上記実施の形態例に限られるものではなく、拡張部材１５、交互拡張機構１６の構造等は適宜変更して設計されるものである。例えば、交互拡張機構１６として、拡張部材１５を走行機体１の進行速度に適合して左右交互に往復角度回転させることにより穿入溝跡Ｓの対向面を拡張して進行方向に左右交互に縦口路が形成される構造とすることもある。
【００１８】
【発明の効果】
本発明は上述の如く、請求項１記載の発明にあっては、走行機体の進行に伴い穿入ビームは進行方向に揺振動作しつつ土中に穿入して穿入跡溝を形成すると共に弾丸体により暗渠を連続して形成することになり、この際、上記穿入ビームの進行方向後方位置に配置された拡張部材は交互拡張機構により拡張動作し、穿入ビームにより土中の上下方向に延びて形成される穿入跡溝の対向面を左右交互に拡張して地表面に開口する縦口路を進行方向に交互に形成することができ、従って、時間の経過により穿入溝跡の両対向面が近接して狭まって閉塞されたとしても縦口路が維持され、この縦口路の存在により暗渠の排水性及び通気性を良好に保持することができる。
【００１９】
又、請求項２記載の発明にあっては、拡張部材は回転可能な突条体を備えてなるから、突条体の半径の山形凹溝状の縦口路を穿入溝跡を境にして左右に交互に容易に形成することができ、縦口路を容易に形成することができる。
【００２０】
以上の如く、所期の目的を充分達成することができる。
【図面の簡単な説明】
【図１】本発明の実施の形態例の全体側面図である。
【図２】本発明の実施の形態例の部分側面図である。
【図３】本発明の実施の形態例の部分平面図である。
【図４】本発明の実施の形態例の部分側断面図である。
【図５】本発明の実施の形態例の部分平断面図である。
【図６】本発明の実施の形態例の部分拡大側断面図である。
【図７】本発明の実施の形態例の部分拡大平断面図である。
【図８】本発明の実施の形態例の部分横断面図である。
【図９】本発明の実施の形態例の部分平面図である。
【符号の説明】
Ｗ  土中
Ｈ  暗渠
Ｔ  縦口路
Ｓ  穿入溝跡
Ｍ  地表面
１  走行機体
２  連結機構
３  機枠
４  揺振機構
１４  弾丸体
１５  拡張部材
１５ａ  突条体
１６  交互拡張機構
【図１】
0003887717.tif 000002
【図２】
0003887717.tif 000003
【図３】
0003887717.tif 000004
【図４】
0003887717.tif 000005
【図５】
0003887717.tif 000006
【図６】
0003887717.tif 000007
【図７】
0003887717.tif 000008
【図８】
0003887717.tif 000009
【図９】
0003887717.tif 000010